(57)【特許請求の範囲】
【請求項１】
一方に凹部を有する断面コ字状の正面見付け部を形成すると共に、この正面見付け部に連続して連続波型凹部を有する断面コ字状の正面立ち下がり部を形成し、さらに他方に差し込み部を形成してなる金属成型瓦を使用して瓦屋根葺きを施工するに際し、一つの金属成型瓦の正面見付け部の凹部を、固定されている吊り子に差し込み、しかる後、前記一つの金属成型瓦の正面立ち下がり部の連続波型凹部に、他の一つの金属成型瓦の差し込み部を差し込んで瓦屋根葺きを施工していくようにしたことを特徴とする金属成型瓦屋根葺施工法。
【請求項２】
一方に凹部を有する断面コ字状の正面見付け部を折り曲げて形成すると共に、この正面見付け部に連続して連続波型凹部を有する断面コ字状の正面立ち下がり部を折り曲げて形成し、さらに他方に差し込み部を形成してなる金属成型瓦と、瓦屋根葺き施工時、前記正面見付け部の連続波型凹部に差し込まれる吊り子とより構成したことを特徴とする金属成型瓦屋根葺構造。
【請求項３】
請求項２に記載の金属成型瓦屋根葺構造において、金属成型瓦の差し込み部の形状を、断面コ字状の正面立ち下がり部に形成した連続波型凹部に嵌合可能な断面コ字状の凸部としたことを特徴とする金属成型瓦屋根葺構造。
【発明の詳細な説明】
【０００１】
【発明の属する技術分野】
本発明は、釘やネジなどの固定具を使用することなく、金属成型瓦の屋根葺き上げ工事を簡単に行うことができ、かつ機械的強度を大となし、雨漏りをも防止することができる金属成型瓦屋根葺施工法および金属成型瓦屋根葺構造に関するものである。
【０００２】
【従来の技術】
従来の、この種金属成型瓦屋根葺施工法で使用される金属成型瓦５０は、一方に立ち上げ折り曲げ部５０ａを形成すると共に、他方に立ち下げ折り曲げ部５０ｂを形成したものである。
このような金属成型瓦５０を使用して瓦の屋根葺き上げ工事を行う場合、例えば図６に示すように、垂木５１の上に取り付けた野地板５２に、防水シート５３を敷き詰める。
そして、この防水シート５３の上から野地板５２の所定位置に、複数の瓦桟５４を固定し、前記金属成型瓦５０を、立ち上げ折り曲げ部５０ａに立ち下げ折り曲げ部５０ｂを重ねて、瓦桟５４に釘またはネジ５５などで直接打ち付けて固定させている。
【０００３】
【発明が解決しようとする課題】
このように、上記従来技術においては、金属成型瓦５０を瓦桟５４に釘やネジ５５などで固定させるための煩わしさがあり、また、この金属成型瓦５０に釘孔を明ける必要があり、そのため機械的強度が弱くなり、さらには、釘孔や隙間などにより雨漏りが発生するなどのおそれがあった。
【０００４】
そこで、本発明の目的は、金属成型瓦の屋根葺き上げ工事を簡単にして、スピーディに、かつ確実に行うことができ、機械的強度にも優れ、雨漏りをも防止することができる金属成型瓦屋根葺施工法および金属成型瓦屋根葺構造を提供するものである。
【０００５】
【課題を解決するための手段】
本発明の金属成型瓦屋根葺施工法は、一方に凹部を有する断面コ字状の正面見付け部を形成すると共に、この正面見付け部に連続して連続波型凹部を有する断面コ字状の正面立ち下がり部を形成し、さらに他方に差し込み部を形成してなる金属成型瓦を使用して瓦屋根葺きを施工するに際し、一つの金属成型瓦の正面見付け部の凹部を、固定されている吊り子に差し込み、しかる後、前記一つの金属成型瓦の正面立ち下がり部の連続波型凹部に、他の一つの金属成型瓦の差し込み部を差し込んで瓦屋根葺きを施工していくようにしたことを特徴とするものである。
【０００６】
また、本発明の金属成型瓦屋根葺構造は、一方に凹部を有する断面コ字状の正面見付け部を折り曲げて形成すると共に、この正面見付け部に連続して連続波型凹部を有する断面コ字状の正面立ち下がり部を折り曲げて形成し、さらに他方に差し込み部を形成してなる金属成型瓦と、瓦屋根葺き施工時、前記正面見付け部の連続波型凹部に差し込まれる吊り子とより構成したことを特徴とするものである。
【０００７】
さらにまた、本発明の金属成型瓦屋根葺構造において、金属成型瓦の差し込み部の形状を、断面コ字状の正面立ち下がり部に形成した連続波型凹部に嵌合可能な断面コ字状の凸部としたことを特徴とする。
【０００８】
【発明の実施の形態】
本発明は、上記のように構成したので、一方に凹部を有する断面コ字状の正面見付け部を形成すると共に、この正面見付け部に連続して連続波型凹部を有する断面コ字状の正面立ち下がり部を形成し、さらに他方に差し込み部を形成してなる金属成型瓦を使用して瓦屋根葺きを施工するに際し、一つの金属成型瓦の正面見付け部の凹部を、屋根下地材（野地板）に固定されている吊り子に差し込むことにより、一つの金属成型瓦は固定される。
しかる後、前記一つの金属成型瓦の正面立ち下がり部の連続波型凹部に、他の一つの金属成型瓦の差し込み部を差し込んで瓦屋根葺きを施工していく。
金属成型瓦の差し込み部の形状を、断面コ字状の正面立ち下がり部に形成した連続波型凹部に嵌合可能な断面コ字状の凸部とすることにより、金属成型瓦は、密着固定される。
【０００９】
【実施例】
図１は、本発明に係る金属成型瓦屋根葺施工法および金属成型瓦屋根葺構造において使用される金属成型瓦の好適な第１実施例を示す斜視図であり、図２は、本発明に係る金属成型瓦屋根葺構造の第１実施例を示す縦断側面図である。
【００１０】
以下、図１ないし図２を用いて本発明に係る金属成型瓦屋根葺構造の好適な第１実施例について、詳細に説明する。
１は、本発明に使用される図１に示すごとき金属成型瓦であり、表面には、塗料が適宜コーテイングされている。金属成型瓦１の一方には、凹部２ａを有する断面コ字状の正面見付け部２が折り曲げて形成されている。
また、この正面見付け部２に連続して連続波型凹部３ａを有する断面コ字状の正面立ち下がり部３が折り曲げて形成されている。
さらに、金属成型瓦１の他方には、前記断面コ字状の正面立ち下がり部３に形成した連続波型凹部３ａに嵌合可能な断面コ字状の凸部４ａを有する差し込み部４が折り曲げて形成されている。
【００１１】
５は、屋根下地材（野地板）であり、６は、この屋根下地材５の上面に取り付けた防水シートである。
７は、図２に示す複数の板状の吊り子であり、この吊り子７は、前記屋根下地材５に前記防水シート６を介して釘８により固定される複数の桟木９と共に、固定されている。
【００１２】
このように、本発明は、一方に凹部２ａを有する断面コ字状の正面見付け部２を折り曲げて形成すると共に、この正面見付け部２に連続して連続波型凹部３ａを有する断面コ字状の正面立ち下がり部３を折り曲げて形成し、さらに他方に断面コ字状の正面立ち下がり部３に形成した連続波型凹部３ａに嵌合可能な断面コ字状の凸部４ａとした差し込み部４を形成してなる金属成型瓦１と、瓦屋根葺き施工時、前記正面見付け部２の凹部２ａに差し込まれる複数の板状の吊り子７とより構成したので、金属成型瓦１の表面に孔を明けることなく、金属成型瓦１は、板状の吊り子７に密着して固定される。
【００１３】
図３は、本発明に係る金属成型瓦屋根葺施工法および金属成型瓦屋根葺構造において使用される金属成型瓦の第２実施例を示す斜視図であり、図４は、本発明に係る金属成型瓦屋根葺構造の第２実施例を示す縦断側面図である。
【００１４】
図３ないし図４に示される金属成型瓦１ａは、凹部２ａを有する断面コ字状の正面見付け部２を折り曲げて形成すると共に、この正面見付け部２に連続して連続波型凹部３ａを有する断面コ字状の正面立ち下がり部３を折り曲げて形成した一方と、前記断面コ字状の正面立ち下がり部３に形成した連続波型凹部３ａに嵌合可能な断面コ字状の凸部４ａとした差し込み部４を形成した他方との間に、凹部２ａを有する断面コ字状の正面見付け部２と、この正面見付け部２に連続して連続波型凹部３ａを有する断面コ字状の正面立ち下がり部３とを、複数連続して形成したものである。
このように、前記正面見付け部２と正面立ち下がり部３とを、複数連続して形成すると、施工性に優れ、施工スピードが上がり、工期、工費が節約できるため、経済的である。また、耐久性、優美性にも優れたものとなる。
【００１５】
金属成型瓦１ａの瓦屋根葺き施工時、屋根下地材５の上面に防水シート６を介して釘８により固定される複数の桟木９と共に、固定されている複数の板状の吊り子７は、前記正面見付け部２の凹部２ａにそれぞれ差し込まれる。
これによって、金属成型瓦１ａの表面に孔を明けることなく、金属成型瓦１ａは、複数の板状の吊り子７にそれぞれ密着して固定される。
【００１６】
図５は、本発明に係る金属成型瓦屋根葺構造の第３実施例を示す縦断側面図であるが、この例では、図２に示す吊り子７の形状だけが異なり、金属成型瓦１は同じであるので、同一部分の説明は省略する。
すなわち、図５に示す複数の吊り子７ａは、ほぼ逆Ｌ字状に形成されており、このほぼ逆Ｌ字状の吊り子７ａは、前記屋根下地材２に防水シート６の上から固定部を介して釘８により直接固定されている。
なお、前記吊り子７、７ａの形状は、前記金属成型瓦１の正面見付け部２の凹部２ａに差し込まれて固定される構成になっていれば、いかなる形状でもよい。
【００１７】
このような本発明に係る金属成型瓦屋根葺構造の各実施例によれば、簡単な施工、簡単な構造にもかかわらず、機械的強度に優れ、雨漏りを確実に防止することが可能となるものである。
【００１８】
次に、図面を用いて本発明に係る金属成型瓦屋根葺施工法について説明する。
まず、屋根下地材５の上面に、防水シート６を敷き詰め取り付けた後、この防水シート６の上から適宜所定の位置に、複数の前記板状の吊り子７を桟木９を介して釘やネジなどによりおく。または、前記ほぼ逆Ｌ字状の吊り子７ａを屋根下地材５に直接取り付けておく。
【００１９】
しかる後、前記金属成型瓦１または１ａを瓦屋根の葺上げ方向に順次葺上げていくのであるが、一方に凹部２ａを有する断面コ字状の正面見付け部２を形成すると共に、この正面見付け部２に連続して連続波型凹部３ａを有する断面コ字状の正面立ち下がり部３を形成し、さらに他方に前記正面立ち下がり部３の連続波型凹部３ａに嵌合可能な断面コ字状の凸部４ａを有する差し込み部４を形成してなる金属成型瓦１または１ａを使用して瓦屋根葺きを施工するに際し、一つの金属成型瓦１または１ａの正面見付け部２の凹部２ａを、固定されている吊り子７または７ａに差し込み、しかる後、前記一つの金属成型瓦１または１ａの正面立ち下がり部３の連続波型凹部３ａに、他の一つの金属成型瓦１または１ａの差し込み部４を差し込んで瓦屋根葺きを施工していくことにより瓦屋根葺き作業が完了する。
【００２０】
このような本発明に係る金属成型瓦屋根葺施工法によれば、瓦屋根を葺く施工は、釘やネジなどを全く使用せず、差し込み式により正確にしてスピーディに、かつ危険を伴わない簡便な作業で行われるものである。
しかも、瓦屋根を葺く施工が簡単であるにもかかわらず、金属成型瓦の固定を確実に維持することができ、機械的強度が大となるものである。
【００２１】
【発明の効果】
本発明の金属成型瓦屋根葺施工法によれば、一方に凹部を有する断面コ字状の正面見付け部を形成すると共に、この正面見付け部に連続して連続波型凹部を有する断面コ字状の正面立ち下がり部を形成し、さらに他方に差し込み部を形成してなる金属成型瓦を使用して瓦屋根葺きを施工するに際し、一つの金属成型瓦の正面見付け部の凹部を、固定されている吊り子に差し込み、しかる後、前記一つの金属成型瓦の正面立ち下がり部の連続波型凹部に、他の一つの金属成型瓦の差し込み部を差し込んで瓦屋根葺きを施工していくようにしたものであるから、金属成型瓦を桟木に釘やネジなどの固定具で固定することなく、また金属成型瓦の屋根葺き上げ工事を正確でスピーディで、かつ危険を伴わないで簡単に行うことができ、しかも金属成型瓦の固定を確実に維持することができ、機械的強度が大となるなどの効果を有する。
【００２２】
また、本発明の金属成型瓦屋根葺構造によれば、一方に凹部を有する断面コ字状の正面見付け部を折り曲げて形成すると共に、この正面見付け部に連続して連続波型凹部を有する断面コ字状の正面立ち下がり部を折り曲げて形成し、さらに他方に差し込み部を形成してなる金属成型瓦と、瓦屋根葺き施工時、前記正面見付け部の連続波型凹部に差し込まれる吊り子とより構成したものであるから、簡単な施工、簡単な構造にもかかわらず、機械的強度に優れ、雨漏りを確実に防止することができ、コストも安価となるなどの効果がある。
【図面の簡単な説明】
【図１】本発明に係る金属成型瓦屋根葺施工法および金属成型瓦屋根葺構造において使用される金属成型瓦の好適な第１実施例を示す斜視図である。
【図２】本発明に係る金属成型瓦屋根葺構造の第１実施例を示す縦断側面図である。
【図３】本発明に係る金属成型瓦屋根葺施工法および金属成型瓦屋根葺構造において使用される金属成型瓦の第２実施例を示す斜視図である。
【図４】本発明に係る金属成型瓦屋根葺構造の第２実施例を示す縦断側面図である。
【図５】本発明に係る金属成型瓦屋根葺構造の第３実施例を示す縦断側面図である。
【図６】従来の金属成型瓦屋根葺構造の一例を示す縦断側面図である。
【符号の説明】
１    金属成型瓦
１ａ  金属成型瓦
２    正面見付け部
２ａ  凹部
３    正面立ち下がり部
３ａ  連続波型凹部
４    差し込み部
４ａ  凸部
５    屋根下地材（野地板）
６    防水シート
７    板状の吊り子
７ａ  逆Ｌ字状の吊り子
８    釘
９    桟木
【図１】
0003603211.tif 000002
【図２】
0003603211.tif 000003
【図３】
0003603211.tif 000004
【図４】
0003603211.tif 000005
【図５】
0003603211.tif 000006
【図６】
0003603211.tif 000007